(57)【要約】  【課題】多様な態様で着座者の腰部を押し出して支持することができる背凭れを備えた椅子を提供する。  【解決手段】この椅子は支持体に支持され着座者の腰部を押し出して支持し得る押出位置とこの押出位置から退避した退避位置との間で左右方向にスライド移動可能な押出部材を有した背凭れを備える。背凭れは、着座者の腰部を支持するランバーサポータを備え、このランバーサポータが前記押出部材により後方から押圧され得る。更に、ランバーサポータは、前記支持体に係わり合う支持体係合部が形成されたランバーサポータ保持体に連結部材を介して保持されている。【選択図】図９
2015058311.tif 000002
【特許請求の範囲】
【請求項１】
支持体に支持され着座者の腰部を押し出して支持し得る押出位置とこの押出位置から退避した退避位置との間で左右方向にスライド移動可能な押出部材を有した背凭れを具備してなる椅子であって、
前記背凭れが、着座者の腰部を支持するランバーサポータを備えており、このランバーサポータが前記押出部材により後方から押圧され得るものであり、
前記ランバーサポータが、前記支持体に係わり合う支持体係合部が形成されたランバーサポータ保持体に連結部材を介して保持されていることを特徴とする椅子。
【請求項２】
前記ランバーサポータの前記ランバーサポータ保持体に対する相対位置が、前記押出部材のスライド移動に伴って漸次変更されるように構成されている請求項１記載の椅子。
【請求項３】
前記ランバーサポータと前記連結部材と前記ランバーサポータ支持体が合成樹脂により一体に形成されたものであり、前記連結部材が帯状又は線状に形成された部位を主体に構成されたものである請求項１又は２記載の椅子。
【請求項４】
前記連結部材が、少なくとも、帯状又は線状をなす第一の連結部材構成要素とこの第一の連結部材構成要素と異なる方向に延びた部位を有した帯状又は線状をなす第二の連結部材構成要素とを備えている請求項１、２又は３記載の椅子。
【請求項５】
前記支持体係合部が、前記ランバーサポータよりも上側及び下側の位置に配されている請求項１、２、３又は４記載の椅子。
【請求項６】
前記ランバーサポータが略板状のものであり、左右方向中央部の厚み寸法が左右側部の厚み寸法よりも長く設定されている請求項１、２、３、４又は５記載の椅子。
【請求項７】
前記ランバーサポータと前記ランバーサポータ保持体との間に、前記退避位置に位置する前記押出部材による前記着座者の腰部に対する押し出しを抑制するための抑制空間が形成されている請求項１、２、３、４、５又は６記載の椅子。
【請求項８】
前記支持体がアウターシェルであり、前記ランバーサポータ保持体が前記アウターシェルの前側に配されたインナーシェルである請求項１、２、３、４、５、６又は７記載の椅子。
【請求項９】
前記ランバーサポータ保持体が前記着座者の腰部に対応する位置に開口部を有し、この開口部内に前記ランバーサポータが前記連結部材を介して配されており、
前記連結部材が、一端側を前記開口部の側縁部に接続するとともに他端側を前記ランバーサポータの上縁部又は下縁部に接続している請求項１、２、３、４、５、６、７又は８記載の椅子。
【発明の詳細な説明】
【技術分野】
【０００１】
本発明は、背凭れを備えた椅子に関する。
【背景技術】
【０００２】
従来のこの種の椅子においては、着座者の腰部を押し出して支持し得るいわゆるランバーサポート部を有した背凭れを具備するものが知られている（例えば、特許文献１を参照）。
【０００３】
ところが、従来のランバーサポート部は、着座者の腰部を押し出して支持し得る態様が限られているものがほとんどであり、多様な態様で着座者の腰部を支持し得る構成を備えたものではなかった。
【先行技術文献】
【特許文献】
【０００４】
【特許文献１】特開２０１２−１５２５６９号公報
【発明の概要】
【発明が解決しようとする課題】
【０００５】
本発明は、以上のような事情に着目してなされたものであり、多様な態様で着座者の腰部を押し出して支持し得る背凭れを備えた椅子を提供することにある。
【課題を解決するための手段】
【０００６】
すなわち、本発明の椅子は次の構成をなしている。
【０００７】
請求項１に記載の椅子は、支持体に支持され着座者の腰部を押し出して支持し得る押出位置とこの押出位置から退避した退避位置との間で左右方向にスライド移動可能な押出部材を有した背凭れを具備してなる椅子であって、前記背凭れが、着座者の腰部を支持するランバーサポータを備えており、このランバーサポータが前記押出部材により後方から押圧され得るものであり、前記ランバーサポータが、前記支持体に係わり合う支持体係合部が形成されたランバーサポータ保持体に連結部材を介して保持されているものである。
【０００８】
請求項２に記載の椅子は、請求項１に係る構成において、前記ランバーサポータの前記ランバーサポータ保持体に対する相対位置が、前記押出部材のスライド移動に伴って漸次変更されるように構成されているものである。
【０００９】
請求項３に記載の椅子は、請求項１又は２に係る構成において、前記ランバーサポータと前記連結部材と前記ランバーサポータ支持体が合成樹脂により一体に形成されたものであり、前記連結部材が帯状又は線状に形成された部位を主体に構成されたものである。
【００１０】
請求項４に記載の椅子は、請求項１、２又は３に係る構成において、前記連結部材が、少なくとも、帯状又は線状をなす第一の連結部材構成要素とこの第一の連結部材構成要素と異なる方向に延びた部位を有した帯状又は線状をなす第二の連結部材構成要素とを備えているものである。
【００１１】
請求項５に記載の椅子は、請求項１、２、３又は４に係る構成において、前記支持体係合部が、前記ランバーサポータよりも上側及び下側の位置に配されているものである。
【００１２】
請求項６に記載の椅子は、請求項１、２、３、４又は５に係る構成において、前記ランバーサポータが略板状のものであり、左右方向中央部の厚み寸法が左右側部の厚み寸法よりも長く設定されているものである。
【００１３】
請求項７に記載の椅子は、請求項１、２、３、４、５又は６に係る構成において、前記ランバーサポータと前記ランバーサポータ保持体との間に、前記退避位置に位置する前記押出部材による前記着座者の腰部に対する押し出しを抑制するための抑制空間が形成されているものである。
【００１４】
請求項８に記載の椅子は、請求項１、２、３、４、５、６又は７に係る構成において、前記支持体がアウターシェルであり、前記ランバーサポータ保持体が前記アウターシェルの前側に配されたインナーシェルであるものである。
【００１５】
請求項９に記載の椅子は、請求項１、２、３、４、５、６、７又は８に係る構成において、前記ランバーサポータ保持体が前記着座者の腰部に対応する位置に開口部を有し、この開口部内に前記ランバーサポータが前記連結部材を介して配されており、前記連結部材が、一端側を前記開口部の側縁部に接続するとともに他端側を前記ランバーサポータの上縁部又は下縁部に接続しているものである。
【発明の効果】
【００１６】
以上説明したように本発明によれば、多様な態様で着座者の腰部を押し出して支持し得る背凭れを備えた椅子を提供することができる。
【図面の簡単な説明】
【００１７】
【図１】本発明の第一実施形態を示す側面図。
【図２】同実施形態における背面図。
【図３】同実施形態における分解斜視図。
【図４】同実施形態における正面図（一部省略）。
【図５】同実施形態における平面図（一部省略）。
【図６】同実施形態における概略断面図。
【図７】同実施形態における概略断面図。
【図８】押出部材の取り付け態様を説明するための斜視図。
【図９】同実施形態における正面図（一部省略）。
【図１０】他の実施形態を示す模式的な断面図。
【図１１】他の実施形態を示す模式的な断面図。
【発明を実施するための形態】
【００１８】
本発明の一実施形態を、図１〜９を参照して説明する。なお、図４、及び、図５では、説明の便宜上、インナーシェル６２、ランバーサポータ６３、及び、背クッション６４を省略したものを示している。図９では、背クッション６４を省略したものを示している。
【００１９】
この実施形態は、本発明を、オフィス等において好適に使用される事務用回転椅子である椅子Ａに適用したものである。
【００２０】
椅子Ａは、脚１と、脚１の上端に水平旋回可能に取り付けられた支持基部２と、前部を支持基部２に支持させた座受３と、座受３に下部を取り付けた座４と、下端部を支持基部２に回転可能に支持させるとともに座受３の後部を回転可能に支持する背支桿５と、背支桿５に取り付けた背凭れ６とを具備してなる。座４及び背凭れ６は、シンクロロッキング可能に支持基部２及び背支桿５に支持されている。以下、詳述する。
【００２１】
脚１は、下端にキャスタを備えた複数本の脚羽根１１と、脚羽根１１の上端部が集合する部位から起立する脚支柱１２とを備えている。
【００２２】
支持基部２は、脚支柱１２に支持された金属製の支持基部本体（図示せず）を主体に構成されている。支持基部２は、支持基部本体を覆う支持基部カバー２１を備えており、支持基部カバー２１が装着された状態では、支持基部本体が外部から視認できないようになっている。
【００２３】
座受３は、支持基部２の上方に配されたものである。座受３は、前部が支持基部２に枢着されており、座受３の後部が背支桿５の基端部近傍に枢着されている。
【００２４】
座４は、着座者Ｐの荷重を均等に支持する構造部材としての役割を担う座シェル４１と、座シェル４１の上に配された座クッション４２とを備えてなるものである。座シェル４１は、座受３の上側に配され、座受３に対して前後方向に一定範囲でスライド移動できるように構成されている。座シェル４１と座クッション４２は図示しない表皮材で覆われている。
【００２５】
背支桿５は、背凭れ６を支持するものであり、背凭れ６の左右方向中間部における上部及び下部に接続している。背支桿５における背凭れ６の後側に位置する部位は、背面視において背凭れ６の左右方向中間部に位置している。背支桿５における背凭れ６の上側との接続部分と背支桿５における背凭れ６の下側との接続部分との間の部位は、側面視において背凭れ６と離間している。
【００２６】
背支桿５は、支持基部２と接続する下部背フレーム５１と、下部背フレーム５１に対して回動可能に支持された上部背フレーム５２とを備えている。下部背フレーム５１は、下端部を支持基部２に回転可能に支持させている。下部背フレーム５１は、下端部の近傍において座受３の後端部を支持している。下部背フレーム５１は、上端部において上部背フレーム５２を前後方向に回転可能に支持するとともに背凭れ６の下端部と接続している。上部背フレーム５２は、上端部を背凭れ６の上部に接続している。
【００２７】
次いで、本実施形態における背凭れ６について説明する。
【００２８】
背凭れ６は、着座者Ｐの腰部を押し出して支持し得る押出位置（ｐ）とこの押出位置（ｐ）から退避した退避位置（ｅ）との間で左右方向にスライド移動可能な左右一対の押出部材Ｌ、Ｒ、すなわち、左の押出部材Ｌ及び右の押出部材Ｒを備えている。左右の押出部材Ｌ、Ｒは、これら左右の押出部材Ｌ、Ｒを支持する支持体であるアウターシェル６１に対して左右方向にスライド移動可能に支持されている。左右の押出部材Ｌ、Ｒは、これら左右の押出部材Ｌ、Ｒの前側に配されたランバーサポータ６３を後方から直接的に押圧するようにしている。しかして、左右の押出部材Ｌ、Ｒとランバーサポータ６３を主体にして、着座者Ｐの腰部を押し出して支持し得るランバーサポート部が構成されている。この椅子Ａにおけるランバーサポート度合い、すなわち、着座者Ｐの腰部に対する押し出し度合いは、左右の押出部材Ｌ、Ｒの左右方向の位置を変更することによって任意に調整することができるようになっている。以下、詳述する。
【００２９】
背凭れ６は、樹脂により形成された支持体であるアウターシェル６１と、アウターシェル６１の前側に配された樹脂により形成されたランバーサポータ保持体であるインナーシェル６２と、アウターシェル６１に対して相対移動可能に取り付けられた左右の押出部材Ｌ、Ｒと、左右の押出部材Ｌ、Ｒの前側に配された着座者Ｐの腰部を支持するランバーサポータ６３と、ランバーサポータ６３を支持するべくインナーシェル６２とランバーサポータ６３との間に介設された連結部材６５と、インナーシェル６２、ランバーサポータ６３、及び連結部材６５の前側に配された背クッション６４とを備えたものである。本実施形態では、ランバーサポータ６３、連結部材６５、及び、インナーシェル６２は、合成樹脂により一体に形成されている。ランバーサポータ６３は、アウターシェル６１に係わり合う支持体係合部たる被取付部６２２が形成されたインナーシェル６２に、連結部材６５を介して保持されている。インナーシェル６２と背クッション６４は図示しない表皮材で覆われている。
【００３０】
アウターシェル６１は、着座者Ｐの背を支持するためのものである。また、アウターシェル６１は、左右の押出部材Ｌ、Ｒを移動可能に支持する支持体を構成するものである。アウターシェル６１は、着座者Ｐの背を支持し得る大きさを有した樹脂製のもので、側面視において前方に向けて凸となる形状、すなわち、くの字状に形成されている。アウターシェル６１は、平面視において後方に向けて凸となるように湾曲した形状をなしている。アウターシェル６１は、側面視くの字状に前方に屈曲している部位に、背面視において左右方向に延びる２本のスリット６１１が上下に平行に形成されている。すなわち、側面視くの字状に屈曲している部位における最も前方に突出する頂部を挟むようにして上下にスリット６１１が略平行に設けられている。なお、くの字状に屈曲している部位は、左右方向に連続して設けられている。この椅子Ａでは、スリット６１１に案内されて左右の押出部材Ｌ、Ｒが、相互に独立して左右方向に移動し得るように構成されている。左右の押出部材Ｌ、Ｒは、上下２本のスリット６１１と係わり合い、スリット６１１間の帯状の部位に跨るように取り付けられている。
【００３１】
アウターシェル６１の中間部、すなわち、アウターシェル６１における上下のスリット６１１によって形成された帯状部分の中央部には、左右の押出部材Ｌ、Ｒの内方へのスライド位置を規制するための内ストッパ６１２が設けられている。内ストッパ６１２は、アウターシェル６１に突設されたもので、この実施形態では樹脂製の起立片により構成されている。内ストッパ６１２はアウターシェル６１に一体に形成されている。内ストッパ６１２は、押出部材Ｌ、Ｒにおける押出部７の内方端に当接し得るようになっている。内ストッパ６１２の存在によって、左右の押出部材Ｌ、Ｒは、それぞれが押出位置（ｐ）に位置する状態でも、一定間隔離れて位置するように設定されている。
【００３２】
アウターシェル６１は、上部に樹脂の弾性変形を惹起し易くするための複数の貫通孔を備えている。アウターシェル６１は、上端部及び下端部のそれぞれにインナーシェル６２を取り付けるための取付部６１３を複数備えている。取付部６１３は、インナーシェル６２の支持体係合部である被取付部６２２と係わり合い、インナーシェル６２がアウターシェル６１に対して取り付けられるようになっている。アウターシェル６１の左右側縁部には、左右の押出部材Ｌ、Ｒの外方へのスライド位置を規制するための外ストッパ６１４が設けられている。外ストッパ６１４は、アウターシェル６１に突設されたもので、この実施形態では、樹脂製の起立片により構成されている。外ストッパ６１４は、アウターシェル６１に一体に形成されている。外ストッパ６１４は、押出部材Ｌ、Ｒに形成された外方端である当接部７３に当接し得るようになっている。
【００３３】
アウターシェル６１の中間部、すなわちアウターシェル６１における上下のスリット６１１によって形成された帯状部分には、左右方向に延びるガイドレール６１５が正面視における左側部分と右側部分にそれぞれ上下に２本平行に形成されている。ガイドレール６１５は、押出部材Ｌ、Ｒに形成された係合凹部７４と係わり合い、ガイドレール６１５と係合凹部７４とが協働して左右方向にスライド移動する押出部材Ｌ、Ｒの姿勢を所期の姿勢に保持する機能を奏するものである。換言すれば、背凭れ６は、アウターシェル６１と押出部材Ｌ、Ｒとの間に、アウターシェル６１に対する押出部材Ｌ、Ｒの姿勢を保持するための姿勢保持手段が設けられている。この実施形態では、姿勢保持手段が、ガイドレール６１５と係合凹部７４を主体に構成されている。
【００３４】
内ストッパ６１２及び外ストッパ６１４により規制された左右の押出部材Ｌ、Ｒの可動範囲は、アウターシェル６１の左右方向の中央を仮想中心線として略対称に設定されている。
【００３５】
インナーシェル６２は、ランバーサポータ６３を保持するランバーサポータ保持体を構成するものであり、アウターシェル６１と近似した外縁形状をなす樹脂製のものである。インナーシェル６２は、着座者Ｐの腰部に対応する位置に略矩形状に開口する開口部６２３を有している。インナーシェル６２に形成された開口部６２３は、正面視において、退避位置（ｅ）にある左右の押出部材Ｌ、Ｒが当該開口部６２３内部に位置し得る左右開口幅を備えている。開口部６２３は、正面視において、左右の押出部材Ｌ、Ｒが当該開口部６２３内部に位置し得る上下開口幅を備えている。この実施形態では、開口部６２３内にランバーサポータ６３が連結部材６５を介して配されている。換言すれば、ランバーサポータ６３は、インナーシェル６２の中間部における左右の押出部材Ｌ、Ｒによって前後方向に押し出され得る部分に配されている。インナーシェル６２は、上端部及び下端部にアウターシェル６１の取付部６１３と係わり合う支持体係合部である被取付部６２２を備えている。すなわち、被取付部６２２は、ランバーサポータ６３よりも上側及び下側の位置に配されている。
【００３６】
左右の押出部材Ｌ、Ｒは、樹脂製のものであり、ランバーサポータ６３を後方から押圧するものである。押出部材Ｌ、Ｒは、押出位置（ｐ）と退避位置（ｅ）との間で漸次位置変更し得るように構成されている。左右の押出部材Ｌ、Ｒは、アウターシェル６１の前側に位置する押出部７と、アウターシェル６１の後側に位置する操作部８と、これら押出部７と操作部８とを連結するための連結部９とを備えている。
【００３７】
押出部７は、平面視において内方端側から外方端側に向かって漸次肉厚になる形状部分を有している。換言すれば、押出部７は、くさび状に形成された部分を有しており、平面視において外側から内側に向かって薄肉になるように形成されている。詳述すれば、押出部７は、平面視において内方端縁から外側方に向かって漸次肉厚になる形状部分を主体に構成された内側部分７ｕと、内側部分７ｕの外側に位置し平面視において内側部分７ｕよりも肉厚の部位を有する外側部分７ｓとを備えている。内側部分７ｕは、前側にアウターシェル６１の前面よりも内側に向かって傾斜した傾斜面ｋを備えている。傾斜面ｋは、アウターシェル６１の前面に対して１０°〜３０°の範囲で傾斜しており、この実施形態では内側から外側に向かって次第にアウターシェル６１の前面に対して大きく傾斜するように設定されている。内側部分７ｕは、内方端部の前面側を断面視略四分の一円弧状に形成し、傾斜面ｋに連続させている。外側部分７ｓは、前側に内側部分７ｕの傾斜面ｋと連続した曲面ｑを備えている。すなわち、押出部７は内側の前面を傾斜面ｋとするとともに外側の前面を曲面ｑとした平面視山型に隆起した形状をなしている。
【００３８】
押出部７は、背面側に向かって開放され上下方向中間部に後述するラック部ｃ１を配し得るための空間を形成した溝７１と、溝７１内において後方に向けて突出して設けられラック部ｃ１の歯に係わり合う係合部７２と、アウターシェル６１のガイドレール６１５と係わり合う係合凹部７４を備えている。溝７１は左右方向に延びるように形成されている。換言すれば、押出部７は、中間部分に正面視略矩形状をなす貫通孔を有し、この貫通孔を形成している対向する左右の内側部間に係合部７２を有した帯状部材を架設している。係合部７２は、押出部７の上下方向の略中央部に位置し、帯状部材を主体に構成され、弾性変形により前後方向に突没変位し得るようになっている。係合部７２は、後述する節度機構Ｃを構成するものであり、ラック部ｃ１に対して節度係合できるようになっている。係合凹部７４は、押出部７における溝７１の上下に形成されたもので、左右方向に延びるように形成されている。係合凹部７４は、アウターシェル６１の前面にレール状に突設されたガイドレール６１５と係わり合うようになっている。
【００３９】
操作部８は、アウターシェル６１の後側に位置するもので、上下方向に延びる棒状部分８１と、棒状部分８１の基端から外方に向かって延出した外延部分８２とを備えている。棒状部分８１と外延部分８２とは樹脂により一体に形成されている。外延部分８２はアウターシェル６１の後面に沿うように配され背面視において略半円形状をなしている。操作部８は、使用者が把持する把持部としての機能を奏し得るように構成されている。使用者は、操作部８を把持してスライド操作することにより押出部７の左右方向の位置を任意に変更することができるようになっている。
【００４０】
連結部９は、柱状の外観をなすのもので、押出部７と操作部８とを連結するものである。この実施形態では、連結部９は、略四角柱状をなしており操作部８と一体に形成されている。連結部９は、操作部８の前側に前方に突出して形成されており、アウターシェル６１のスリット６１１を通過する位置に配されている。連結部９の先端は、押出部７に接続し、連結部９と押出部７とは、ビスｖにより螺着される。
【００４１】
この椅子Ａは、押出部材Ｌ、Ｒを所望の位置に節度停止、すなわち、クリックストップさせるための節度機構Ｃを設けている。より具体的に言えば、椅子Ａは、左右の押出部材Ｌ、Ｒを、アウターシェル６１の所定位置に節度停止するための節度機構Ｃを設けている。節度機構Ｃは、アウターシェル６１の前面に形成された複数の歯によって構成されたラック部ｃ１と、押出部材Ｌ、Ｒに設けられた係合部７２とを主体に構成されている。ラック部ｃ１を構成する複数の歯は、アウターシェル６１に一体に設けられている。
【００４２】
ランバーサポータ６３は、樹脂により形成された略板状のものである。ランバーサポータ６３は、左右方向にスライド移動し得る押出部材Ｌ、Ｒによって後方から押し出されることにより、略全体すなわち、直接的に押し出される部位及びその周囲の部位が前後方向に移動され得るように構成されている。本実施形態におけるランバーサポータ６３は、連結部材６５を介してインナーシェル６２と一体に形成されている。すなわち、ランバーサポータ６３と連結部材６５とインナーシェル６２は、合成樹脂により一体に形成されている。
【００４３】
ランバーサポータ６３とインナーシェル６２との間には、接続部材６５が存在する部分以外の略全体に亘ってスリット６２１が形成されており、当該スリット６２１によってインナーシェル６２とランバーサポータ６３とを離れさせている。しかして、ランバーサポータ６３のインナーシェル６２に対する相対位置が、ランバーサポータ６３を押出する押出部材Ｌ、Ｒの左右スライド移動に伴って漸次変更され得るように構成されている。具体的には、スリット６１２によってインナーシェル６２と離反したランバーサポータ６３は、押出部材Ｌ、Ｒに押されることにより、インナーシェル６２に対して前後方向に突没進退し得るように構成されている。ランバーサポータ６３のインナーシェル６２に対する相対位置の変化、すなわち、ランバーサポータ６３における突没方向の変位は、主として直接的に押出部材Ｌ、Ｒによって押し出されるランバーサポータ６３が前後動するとともにランバーサポータ６３に連結された連結部材６５が主体的に弾性変形することによって惹起されるようになっている。換言すれば、押出部材Ｌ、Ｒによって押し出されるランバーサポータ６３は、弾性変形をし易く構成された連結部材６５の弾性変形により、全体的に前方に押し出され易く構成されている。
【００４４】
ランバーサポータ６３は、左右方向中央部の厚み寸法Ｗ１が左右側部の厚み寸法Ｗ２よりも長く設定されている。換言すればランバーサポータ６３は、左右方向中央部の厚みＷ１が左右両側部の厚みＷ２よりも厚く形成されている。ランバーサポータ６３の左右側部には、それぞれ上下二箇所に外方に向かって開放された切欠部６３１が形成されている。
【００４５】
ランバーサポータ６３とインナーシェル６２との間、具体的には、ランバーサポータ６３の左右両側部とインナーシェル６２の開口部６２３における左右の開口端縁との間には、退避位置（ｅ）に位置する押出部材Ｌ、Ｒによる着座者Ｐの腰部に対する押し出しを抑制するための抑制空間ｓｐが形成されている。抑制空間ｓｐは、ランバーサポータ６３とインナーシェル６２の間に形成された上下に延びる比較的幅広のスリット６２１を主体に構成されている。抑制空間ｓｐには、退避位置（ｅ）にある押出部材Ｌ、Ｒの外側部分７ｓが位置するように設定されている。
【００４６】
連結部材６５は、インナーシェル６２にランバーサポータ６３を前後動可能に支持させるべくインナーシェル６２とランバーサポータ６３との間に介在し両者を連結するものである。連結部材６５は、ランバーサポータ６３とインナーシェル６２との間に複数介設されている。この実施形態では、上側に２つ、下側に２つ、合わせて４つの連結部材６５が、ランバーサポータ６３とインナーシェル６２との間に介在している。連結部材６５は、一端側である外側端部６５ａを開口部６２３の側縁部６２３ａに接続するとともに他端側である内側端部６５ｂをランバーサポータ６３の上縁部６３ａ又は下縁部６３ｂに接続している。ランバーサポータ６３の上側の左右にそれぞれ配された連結部材６５は、外側端部６５ａを開口部６２３の側縁部６２３ａにおける上部位置に接続するとともに内側端部６５ｂをランバーサポータ６３の左右方向中央部における上縁部６３ａに接続している。ランバーサポータ６３の下側の左右にそれぞれ配された連結部材６５は、外側端部６５ａを開口部６２３の側縁部６２３ａにおける下部位置に接続するとともに内側端部６５ｂをランバーサポータ６３の左右方向中央部における下縁部６３ｂに接続している。
【００４７】
連結部材６５は、帯状に形成された部位を主体に構成されている。この実施形態では、連結部材６５が、帯状をなし左右方向に直線状に延びる第一の連結部材構成要素６５１と、第一の連結部材構成要素６５１の内側端から連続し当該第一の連結部材構成要素６５１の延びる方向と異なる方向、すなわち、第一の連結部材構成要素６５１の延びる左右方向と略直角の方向である上下方向に延びた帯状の第二の連結部材構成要素６５２とを備えている。第一の連結部材構成要素６５１の長手方向の寸法は、第二の連結部材構成要素６５２の寸法よりも長く設定されている。第一の連結部材構成要素６５１の長手方向の寸法は、弾性変形を惹起させ易くするべく比較的長尺に設定され、具体的には、短手方向の寸法（幅寸法）や厚み寸法を勘案した上で約３ｃｍ〜２０ｃｍの寸法に設定される。この実施形態では、連結部材６５の厚み寸法は、ランバーサポータ６３の左右方向中央部の厚み寸法Ｗ１よりも薄く設定されており、前後面側におけるランバーサポータ６３と連結部材６５との境界部分には厚み寸法差に伴う段差が形成されている。
【００４８】
背クッション６４は、スポンジ状の背クッション本体の外面に張地を張り設けた通常のものである。背クッション６４はインナーシェル６２の前面に止着されている。なお、この実施形態では、ランバーサポータ６３を一体に設けたインナーシェル６２と背クッション６４とが接着剤により相互に接着されておりこれらを主体にしてユニット体を構成しており、当該ユニット体をアウターシェル６１に対して着脱できるようになっている。
【００４９】
次いで、押出部材Ｌ、Ｒの作動について説明する。
【００５０】
左右の押出部材Ｌ、Ｒは、支持体、すなわち、アウターシェル６１に支持されており、アウターシェル６１に対して左右方向に移動可能に構成されている。使用者は、着座状態及び着座状態から離れた状態の何れの状態でも、操作部８に腕を伸ばし、操作部８を把持して、アウターシェル６１の所望の位置に押出部材Ｌ、Ｒを移動させることができるようになっている。
【００５１】
左右の押出部材Ｌ、Ｒは、通常の着座位置に着座した着座者Ｐの腰部の中央部分を押し出して支持し得る押出位置（ｐ）と、押出位置（ｐ）から外側に退避して着座者Ｐの腰部の側部或いは側部近傍に位置する退避位置（ｓ）との間で左右方向にスライド移動可能に構成されている。
【００５２】
押出部材Ｌ、Ｒの押出位置（ｐ）は、アウターシェル６１の左右方向中間部側の位置であり、押出部７の内方端縁が内ストッパ６１２に当接し、押出部材Ｌ、Ｒの内方への移動が阻止された位置に設定されている。図７に示すように、押出部材Ｌ、Ｒが、押出位置（ｐ）にある場合は、主として押出部７における外側部分７ｓの曲面ｑがランバーサポータ６３の左右方向中間部に接し、インナーシェル６２に連結部材６５を介して支持されたランバーサポータ６３を全体的に前方に押圧する。
【００５３】
この際、ランバーサポータ６３は、押出位置（ｐ）にある左右の押出部材Ｌ、Ｒの外側部分７ｓによって前方に押圧され、中央部分全体が前方に移動することになる。つまり、ランバーサポータ６３が左右の押出部材Ｌ、Ｒによって直接的に押されていない中間部分、すなわち、ランバーサポータ６３における左右の押出部材Ｌ、Ｒと接する部分間の部位は大きく伸長することなく、前方に押し出されることになる。ランバーサポータ６３は、比較的長尺な帯状をなす連結部材６５を介してインナーシェル６２に支持されているため、インナーシェル６２に対して前後方向に突没変位し易く構成されている。すなわち、連結部材６５がランバーサポータ６３の前後動に対応して弾性変形し易く構成されているため、押出部材Ｌ、Ｒと係わり合うランバーサポータ６３は、それ自体がインナーシェル６２に引っ張られて過大に変形してしまうことが抑制され、インナーシェル６２に対して相対変位し易くなっている。
【００５４】
この実施形態では、ランバーサポータ６３の左右方向中央部の厚み寸法Ｗ１は、ランバーサポータ６３の左右側部の厚み寸法Ｗ２よりも長く設定されている。このため、左右の押出部材Ｌ、Ｒによって直接的に押されない部分であるランバーサポータ６３の中間部分は、着座者Ｐの荷重を受けても変形が抑制される構造となっており、当該中間部分は左右の押出部材Ｌ、Ｒの押し出しによって好適に前方に押し出されるように構成されている。
【００５５】
しかして、押出部材Ｌ、Ｒが押出位置（ｐ）に位置する場合は、着座状態にある着座者Ｐの荷重を受けて、着座者Ｐの腰部の中央に一定の押圧力が付与され、いわゆる腰部を押圧して支持するランバーサポート機能を奏することになる。この実施形態では、押出位置（ｐ）にある押出部材Ｌ、Ｒがランバーサポータ６３の比較的厚肉である左右方向中央部を押圧することになるため、ランバーサポータ６３の前面をより前側に位置させることができる。このため、着座者Ｐの腰部に対して好適な押圧力を付与することができるものとなる。
【００５６】
押出部材Ｌ、Ｒの退避位置（ｅ）は、アウターシェル６１の左右両側の位置であり、押出部７の外方端縁に設けられた当接部７３が外ストッパ６１４に当接し、押出部材Ｌ、Ｒの外方への移動が阻止された位置に設定されている。図６に示すように、押出部材Ｌ、Ｒが、退避位置（ｅ）にある場合は、押出部７における内側部分７ｕの傾斜面ｋがランバーサポータ６３の左右両側部に面的に接し、ランバーサポータ６３を前方に押圧する。この際、ランバーサポータ６３は、退避位置（ｅ）にある左右の押出部材Ｌ、Ｒの内側部分７ｕによって前方に押圧されるが、左右両側部分が前方に変位する一方、中央部分全体は着座者Ｐの荷重に伴って後方すなわちアウターシェルに近接した位置にある。
【００５７】
この実施形態では、ランバーサポータ６３とインナーシェル６２との間、より具体的には、ランバーサポータ６３の左右側部とインナーシェル６２の開口部６２３の側縁部６２３である開口端縁との間には、退避位置（ｅ）に位置する押出部材Ｌ、Ｒによる着座者Ｐの腰部に対する押し出しを抑制するための抑制空間ｓｐが形成されている。抑制空間ｓｐには、退避位置（ｅ）にある押出部材Ｌ、Ｒの外側部分７ｓが位置するようになっている。退避位置（ｅ）にある押出部材Ｌ、Ｒの外側部分７ｓは、背クッション６４に直接的に係わり合うことになり、押出部材Ｌ、Ｒの外側部分７ｓは、背クッション６４を前方に殆ど押し出すことなく、背クッション６４内に埋まり込んだ状態となる。
【００５８】
しかして、押出部材Ｌ、Ｒが退避位置（ｅ）に位置する場合は、着座状態にある着座者Ｐの腰部の中央には、一定の押圧力が付与されにくいものとなり、いわゆる腰部を押圧して支持するランバーサポート機能を発揮し難いことになる。ここで、「退避位置（ｅ）」とは、着座者Ｐの腰部に対して押圧力を付与しない位置に限定されるものではなく、一定の押圧力を付与し得る位置であってもよいのはもちろんのことである。
【００５９】
なお、本実施形態では、背凭れ６が、背面視における背凭れ６の中央部に配された一本の柱状体をなす背支桿５により支持されているため、背凭れ６が着座者Ｐに追従して回動し易く構成されている。すなわち、背凭れ６の左右両側部が、背支桿６との接続部位を支点にして前後動し易く構成されている。このため、押出部材Ｌ、Ｒが退避位置（ｅ）に位置する場合には、背凭れ６に支持されている着座者Ｐの側部側を、背凭れ６の動きに対応して好適に支持し得るサイドサポート機能を有効に発揮し得るものとなっている。
【００６０】
このように、椅子Ａは、押出部材Ｌ、Ｒを、押出位置（ｐ）と退避位置（ｅ）との間で、任意の位置に配置することにより、着座者Ｐの腰部に対する押出度合いを多様に変化させることができるようになっている。換言すれば、背凭れ６は、いわゆるランバーサポート効果を段階的に変化させることができるように構成されている。つまり、左右の押出部材Ｌ、Ｒがそれぞれ押出位置（ｐ）に位置する場合は最も着座者Ｐに対して腰部に対するサポート力を感じさせるものとなり、左右の押出部材Ｌ、Ｒが中央よりに位置する押出位置（ｐ）から外側よりに位置する退避位置（ｅ）側に向かって移動するにつれて着座者Ｐに対して腰部へのサポート力を感じさせないものとなる。この実施形態では、左右の押出部材Ｌ、Ｒはそれぞれ独立して移動することができるため、着座者Ｐは、任意の位置に左右の押出部材Ｌ、Ｒをそれぞれ別個に位置設定し、腰部に対する所望のサポート力を得ることができることになる。
【００６１】
押出部材Ｌ、Ｒが、押出位置（ｐ）と退避位置（ｅ）との間で移動し得る手動による操作は、押出部７におけるランバーサポータ６３との摺接を好適にする構成により、円滑に行うことができる。すなわち、押出部材Ｌ、Ｒを内側に向かって操作する場合には、ランバーサポータ６３の背面に、押出部材Ｌ、Ｒの傾斜面ｋが摺接することになるため、操作の負荷が抑制されやすいものとなっている。つまり、押出部材Ｌ、Ｒの傾斜面ｋがランバーサポータ６３を前側に向かって徐々に無理なく案内できるようになっている。他方、押出部材Ｌ、Ｒを外側に向かって操作する場合は、ランバーサポータ６３の背面に押出部材Ｌ、Ｒの曲面ｑが摺接することになるため、ランバーサポータ６３の背面に引っ掛かる等して操作の負荷が増大することが抑制されるものとなる。
【００６２】
以上説明したように、本実施形態に係る椅子Ａは、支持体であるアウターシェル６１に支持され着座者Ｐの腰部を押し出して支持し得る押出位置（ｐ）と押出位置（ｐ）から退避した退避位置（ｅ）との間で左右方向にスライド移動可能な押出部材Ｌ、Ｒを有した背凭れ６を具備してなる。そして、背凭れ６が、着座者Ｐの腰部を支持するランバーサポータ６３を備えており、ランバーサポータ６３が押出部材Ｌ、Ｒにより後方から押圧され得るものであり、ランバーサポータ６３が、アウターシェル６１に係わり合う支持体係合部である被取付部６２２が形成されたランバーサポータ保持体であるインナーシェル６２に連結部材６５を介して保持されている。このため、多様な態様で着座者Ｐの腰部を押し出して支持することができる背凭れ６を備えた椅子Ａを提供することができるものとなる。しかも、背凭れ６が、ランバーサポータ６３を備えており、押出部材Ｌ、Ｒがランバーサポータ６３を押圧するものであるため、押出部材Ｌ、Ｒが着座者Ｐの腰部を局所的に押圧することを好適に抑制し得るものとなる。すなわち、押出部材Ｌ、Ｒによる着座者Ｐの腰部に対する押圧を、ランバーサポータ６３を介して間接的に行うことができるため、押出部材Ｌ、Ｒの具体的な形状によって直接的に押圧し得る範囲よりも広い範囲で、着座者Ｐの腰部を好適に押圧することができるものとなる。さらに、ランバーサポータ６３が、アウターシェル６１に係わり合う被取付部６２２が形成されたインナーシェル６２に連結部材６５を介して保持されている。このため、ランバーサポータ６３が、アウターシェル６１と係わり合ったインナーシェル６２に対して好適に相対位置を変更可能に動作し得るものとなる。ランバーサポータ６３は、連結部材６５を介してインナーシェル６２に保持されているため、インナーシェル６２に対するランバーサポータ６３の相対変位を連結部材６５の弾性変形によって行い易くすることが可能となる。つまり、インナーシェル６２とランバーサポータ６３との間に連結部材６５が介在しているため、ランバーサポータ６３が押出部材Ｌ、Ｒによって好適に作動するための設計の自由度に優れたものとなる。
【００６３】
ランバーサポータ６３のインナーシェル６２に対する相対位置が、押出部材Ｌ、Ｒのスライド移動に伴って漸次変更されるように構成されているため、特定の押し出しパターンに限られることなく、極めて多様な態様で着座者Ｐの腰部を押し出して支持することができる背凭れ６を備えた椅子Ａを提供するものとなる。
【００６４】
ランバーサポータ６３と連結部材６５とインナーシェル６２が合成樹脂により一体に形成されたものであるため、部品点数の抑制に寄与するとともに製造の容易に寄与し得るものとなる。
【００６５】
連結部材６５が帯状に形成された部位を主体に構成されたものであるため、弾性変形に優れたものとなり、ランバーサポータ６３のインナーシェル６２に対する相対移動をし易くするための設計の自由度に優れたものとなる。
【００６６】
連結部材６５が、帯状をなす第一の連結部材構成要素６５１と第一の連結部材構成要素６５１と異なる方向に延びた部位を有した帯状をなす第二の連結部材構成要素６５２とを備えているものであるため、連結部材６５全体を弾性変形し易くするための寸法或いは形状を有した構造を実現し易いものとなる。
【００６７】
インナーシェル６２の支持体係合部である被取付部６２２が、ランバーサポータ６３よりも上側及び下側の位置にそれぞれ配されているものであるため、インナーシェル６２をアウターシェル６１に対して好適に支持させることができるものとなり、アウターシェル６１が、ランバーサポータ６３に引きずられて移動してしまうことを好適に抑制し得るものとなる。
【００６８】
ランバーサポータ６３が略板状のものであり、左右方向中央部の厚み寸法Ｗ１が左右側部の厚み寸法Ｗ２よりも長く設定されている。このため、押出位置（ｐ）にある押出部材Ｌ、Ｒがランバーサポータ６３の比較的厚肉である左右方向中央部を押圧することになるため、ランバーサポータ６３の前面をより前側に位置させることができる。したがって、着座者Ｐの腰部に対して好適な押圧力を付与することができるものとなる。
【００６９】
しかも、このような構成のものであれば、押出部材Ｌ、Ｒのスライド範囲、すなわち押出部材Ｌ、Ｒがそれぞれアウターシェル６１に対して左右方向に移動するストロークレンジを抑制しつつランバーサポータ６３の前面を前後動させるための設計の自由度に優れたものとなる。特に、この実施形態では、左右の押出部材Ｌ、Ｒによって直接的に押されない部分となるランバーサポータ６３の中間部分は、変形が抑制された構造となっているため、当該中間部分は押出位置（ｐ）にある左右の押出部材Ｌ、Ｒの押し出しによって好適に前方に押し出され得るものとなる。
【００７０】
押出部材Ｌ、Ｒが、押出位置（ｐ）と退避位置（ｅ）との間で漸次位置変更し得るように構成されているため、極めて多様な態様で着座者Ｐの腰部を押し出して支持することができるものとなる。
【００７１】
ランバーサポータ６３とインナーシェル６１との間に、退避位置（ｅ）に位置する押出部材Ｌ、Ｒによる着座者Ｐの腰部に対する押し出しを抑制するための抑制空間ｓｐが形成されているため、退避位置（ｅ）において押出部材Ｌ、Ｒが着座者Ｐに干渉し難い構造を実現することができるものとなる。しかも、退避位置（ｅ）における押出部材Ｌ、Ｒの外側部分７ｓが背クッション６４に埋没して着座者Ｐに干渉し難くなる構成をなしているため、押出部材Ｌ、Ｒの外側部分７ｓの高さ寸法を可及的に高く設定することができるものとなる。このため、所定の高さに設定された外側部分７ｓを有した押出部材Ｌ、Ｒが、押出位置（ｐ）及び押出位置（ｐ）側に向かう道程において、ランバープレート６３を好適に前側に向かって押圧し得るものとなる。
【００７２】
インナーシェル６２が着座者Ｐの腰部に対応する位置に開口部６２３を有し、この開口部６２３内にランバーサポータ６３が連結部材６５を介して配されており、連結部材６５が、一端側を開口部６２３の側縁部に接続するとともに他端側をランバーサポータ６５の上縁部６３ａ又は下縁部６３ｂに接続している。このため、インナーシェル６２に対してランバーサポータ６３を相対変位させるための設計の自由度に優れたものとなる。
【００７３】
背凭れ６が、アウターシェル６１と、アウターシェル６１の前側に配されたインナーシェル６２とを備えている。そして、ランバーサポータ６３がインナーシェル６２に一体に形成されている。このため、ランバーサポータ６３を所望の位置に好適に配することができるものとなる。また、押出部材Ｌ、Ｒが、アウターシェル６１に支持されているものであるため、ランバーサポータ６３を適切に押圧し得る位置に配するための設計の自由度に優れたものとなる。
【００７４】
押出部材Ｌ、Ｒが、アウターシェル６１に形成されたスリット６１１に案内されて左右方向に移動し得るものであるため、押出部材Ｌ、Ｒを左右方向にスライド移動可能に構成するための設計の自由度に優れたものとなるのみならず、押出部材Ｌ、Ｒを左右方向にスライド移動するべく操作者が押出部材Ｌ、Ｒにアクセスするための設計の自由度に優れたものとなる。
【００７５】
背凭れ６が、相互に独立して移動し得る左右２つの押出部材Ｌ、Ｒを備えたものであるため、左右の押出部材Ｌ、Ｒをそれぞれ別個独立して任意の位置に設定することができるものとなる。
【００７６】
押出部材Ｌ、Ｒが、アウターシェル６１の前側に位置する押出部７と、アウターシェル６１の後側に位置する操作部８とを備えたものであるため、アウターシェル６１の前側に位置する押出部７によって着座者Ｐの腰部に所定の押圧力を付与し得るとともに、アウターシェル６１の背面側に位置する操作部８に操作者がアクセスして、押出部材Ｌ、Ｒの位置を任意の位置に設定することができるものとなる。
【００７７】
押出部材Ｌ、Ｒが、内方端側から外方端側に向かって漸次肉厚になる形状部分を備えているものであるため、押出位置（ｐ）及び退避位置（ｅ）のそれぞれにおいて、好適な姿勢をとることができるものとなる。すなわち、押出位置（ｐ）では、外方端側の比較的肉厚な部分によって、ランバーサポータ６３を前方に効果的に押し出すことができるとともに、退避位置（ｅ）では、内方端側の比較的薄肉の部分が着座者Ｐ側に位置することになるため押出部材Ｌ、Ｒが着座者Ｐの邪魔になることを好適に抑制するものとなる。
【００７８】
押出部材Ｌ、Ｒを所望の位置に節度停止させるための節度機構Ｃを設けているため、使用者にとって快適なクリック感を与えつつ押出部材Ｌ、Ｒを移動させることができるとともに、押出部材Ｌ、Ｒを所定の位置で好適に停止させることができるものとなる。
【００７９】
なお、本発明は、以上に詳述した実施形態に限定されるものではない。
【００８０】
支持体６１に支持される押出部材Ｌ、Ｒの退避位置（ｅ）は、別の観点から言い換えれば、支持体６１に支持されるサイドサポート部材Ｌ、Ｒのサイドサポート位置（ｅ）と称することができるものである。すなわち、図１１において模式的に示すように、インナーシェル６２に一体化しているランバーサポータ６３は、その左右両側部がサイドサポート位置（ｅ）に位置するサイドサポート部材Ｌ、Ｒによって前方に押し出される一方、左右方向中央部が着座者Ｐの荷重を受けて後方に後退する。この結果、ランバーサポータ６３の左右方向中央部の曲率が、図１０において示すもの、すなわち、サイドサポート部材Ｌ、Ｒが内側位置（ｐ）（上述した実施形態における押出位置に相応する）に位置している場合のものよりも大きなものとなる。そして、サイドサポート位置（ｅ）にあるサイドサポート部材Ｌ、Ｒを内側に向かって移動するに連れて、ランバーサポータ６３の左右方向中央部の曲率を小さくすることができる。つまり、サイドサポート位置（ｅ）にあるサイドサポート部材Ｌ、Ｒを内側に向かって移動させて、ランバーサポータ６３における左右方向中央部の曲率を小さくなる方向に変化させることができ、着座者Ｐが受ける腰部へのフィット感を調整することができるものとなっている。
【００８１】
椅子は上述した実施形態に示されるようなものに限られず、背凭れを有した椅子であればどのような椅子においても適用することができる。例えば、椅子は、脚や支持基部や座受や背支桿を具備しないものであってもよい。
【００８２】
支持体は、種々の形状や構造のものが考えられ、本実施形態に示されるようなシェル状のものに限定されるものではない。例えば、支持体は、フレームを主体に構成されたものであってもよい。
【００８３】
ランバーサポータ保持体は、支持体に係わり合う支持体係合部を有するとともにランバーサポータを連結部材を介して保持するものであればよく、本実施形態に示されるようなシェル状のものに限定されるものではない。例えば、ランバーサポータ保持体は、フレームを主体に構成されたものであってもよい。
【００８４】
支持体係合部は、支持体に対して直接的に係わり合うものに限られず、他の部材を介して支持体に係わり合うようにしたものであってもよい。つまり、支持体係合部は、支持体に対して間接的に係わり合うものであってもよい。
【００８５】
連結部材は、種々の形状や構造のものを採用することができ、上述した実施形態のものには限定されない。例えば、連結部材が、線状の部材を主体に構成されたものであってもよいし、線状の部材と帯状の部材とを適宜組み合わせて構成されたものであってもよい。
【００８６】
連結部材は、ランバーサポータ保持体やランバーサポータと別個に独立した構成部品であってもよい。例えば、連結部材として、コイルバネ等のスプリングやゴム製部材を採用し、一端をランバーサポータ保持体に接続させるとともに他端をランバーサポータに接続させるようにしてもよい。
【００８７】
連結部材は、複数備えたものには限定されない。例えば、連結部材を、インナーシェルの開口部における開口縁の一部から延出した比較的幅広の単一ものとしてもよい。このような連結部材の支持態様としては、ランバーサポータを吊り下げ支持する態様や、ランバーサポータを片持ち梁的に支持する態様や、ランバーサポータを下から支持する態様などが考えられる。換言すれば、連結部材は、ランバーサポータの上下左右何れか一つの端部と接続した態様のものであってもよい。
【００８８】
連結部材は、伸縮可能な網状部材を用いたものであっても良いし、伸縮可能な生地を用いたものであってもよい。例えば、ランバーサポータ保持体の開口部に網状部材を張り設けその網状部材の一部に押出部材に押し出されるランバーサポータを支持させるように構成してもよい。
【００８９】
背凭れは、樹脂により網目状に形成された部位に背凭れ面を有したいわゆる樹脂メッシュタイプのものであってもよい。例えば、フレーム状或いはシェル状をなす支持体に、左右方向にスライド移動可能に押出部材を支持させ、当該押出部材が背凭れ面を有した樹脂メッシュタイプの背凭れ部材に設けられたランバーサポータを後方から押圧するように構成しても良い。すなわち、樹脂メッシュタイプの背凭れ部材がランバーサポータ保持部に相当した構成を採用してもよい。より具体的には、ランバーサポータが、接続部材を介して樹脂メッシュタイプの背凭れ部材に支持されるように構成したものが考えられる。
【００９０】
押出部材は、支持体に支持され左右方向にスライド移動するものであればよく、シェル状の部材、すなわちアウターシェルに支持されたものには限定されない。支持体とは、押出部材をスライド移動可能に支持し得るものすべてを含んだ概念である。
【００９１】
背凭れは、背クッションを有したものには限定されず、例えば、ランバーサポータを有した背凭れ構成部材であって、当該背凭れ構成部材が着座者に直接的に添接し得る背凭れ面を備えたものであってもよい。
【００９２】
押出部材は、単数であってもよいし、３個以上の複数個であってもよい。
【００９３】
押出部材を左右方向にスライド移動可能に支持する態様は、種々の態様が考えられ、上述した各実施形態に示されるものには限定されない。例えば、押出部材を案内し得るスリットの本数は任意に設定することができるものである。
【００９４】
また、スリットは、単に左右方向に直線状に延びる態様のものには限定されない。一例としては、支持体であるアウターシェルに形成したスリットを、中央部分では左右方向に延びるように形成するとともに側縁部分では上下方向の何れかの方向に連続して延びるように形成し、アウターシェルの側縁部分において押出部材をより一層着座者の腰部から離れた位置に位置させ得るように構成してもよい。
【００９５】
また、押出部材はスリットを利用して支持体に支持させたものに限られるものではない。例えば、支持体に有底の溝を設け、この溝に対して押出部材の一部をスライド可能に嵌合させるようにしてもよい。或いは、押出部材を、磁石を利用して左右方向にスライド移動可能に支持させるようにしてもよい。
【００９６】
押出部材の形状は、種々の形状のものが考えられ、本実施形態に示されたものに限定されないのはもちろんのことである。
【００９７】
背凭れは、相互に独立して移動するものには限られず、相互に連動して移動し得る複数の押出部材を備えたものであってもよい。例えば、左右対をなす押出部材をギアや紐状部材を介して相互に連動させることにより左の押出部材と右の押出部材とを背凭れの左右方向中央部分を中心線として対称的に移動させるように構成してもよい。
【００９８】
ランバーサポータは、着座者の腰部を支持し得るものであればよい。すなわち、ランバーサポータは、板状のものに限られるものではなく、複数の孔を有した網目状のものであってもよいし、複数のスリットを有したものであってもよい。ランバーサポータは、単数のものには限られず、複数であってもよい。ランバーサポータは、軟質素材で構成されたものであってもよく、例えば、伸縮性に優れたゴム状の素材を主体に構成されたものであってもよいし、布を主体に構成されたものであってもよいし、樹脂製のシート体を主体に構成されたものであってもよい。換言すれば、ランバーサポータは、着座者の腰部を支持し得るものであり、且つ、押出部材によって前方に押し出され得るものであればどのようなものであってもよい。
【００９９】
ランバーサポータは、押出部材によって直接的に押し出されるものには限定されず、間接的に押し出されるものであってもよい。例えば、ランバーサポータと押出部材との間に、何らかの部材を介在させたものであってもよい。
【０１００】
姿勢保持手段は、支持体に対する押出部材の姿勢を保持するためのものであればよく、本実施形態に示される構成には限定されるものではない。一例としては、姿勢保持手段を、押出部材側にレール状の突部を設けたものと支持体側に前記突部と係わり合う凹溝又はスリットを設けたものとを主体に構成した態様が考えられる。
【０１０１】
その他、各部の具体的構成についても上記実施形態に限られるものではなく、本発明の趣旨を逸脱しない範囲で種々変形が可能である。
【符号の説明】
【０１０２】
６…背凭れ
６１…アウターシェル（支持体）
６２…インナーシェル（ランバーサポータ保持体）
６３…ランバーサポータ
６５…連結部材
６２２…被取付部（支持体係合部）
Ａ…椅子
Ｌ…（左の）押出部材
Ｒ…（右の）押出部材
（ｐ）…押出位置
（ｅ）…退避位置
【図１】
2015058311.tif 000003
【図２】
2015058311.tif 000004
【図３】
2015058311.tif 000005
【図４】
2015058311.tif 000006
【図５】
2015058311.tif 000007
【図６】
2015058311.tif 000008
【図７】
2015058311.tif 000009
【図８】
2015058311.tif 000010
【図９】
2015058311.tif 000011
【図１０】
2015058311.tif 000012
【図１１】
2015058311.tif 000013